(57)【特許請求の範囲】
【請求項１】
３層以上の記録層を有し、前記記録層の１層にデータを記録し、前記記録層の他の複数層に前記データを編集した編集データそれぞれを記録する光ディスクに、前記データと前記編集データとを記録する光ディスク記録方法であって、
前記データを記録するデータ記録層と、前記編集データを、他の複数層のそれぞれに記録する編集データ記録層とに、前記記録層を割り振って記録する記録層割振記録ステップを含み、
前記編集データを前記編集データ記録層に記録する際の位置と、異なる前記編集データを異なる前記編集データ記録層に記録する際の位置とが層を違えて同じ位置に、同期するように記録することを特徴とする光ディスク記録方法。
【請求項２】
３層以上の記録層を有し、前記記録層の１層にデータを記録し、前記記録層の他の複数層に前記データを編集した編集データそれぞれを記録する光ディスクから前記データ又は前記編集データを再生する光ディスク再生方法であって、
前記記録層のうち、再生する記録層を指定する再生層指定ステップと、
この再生層指定ステップによって指定された記録層を再生する指定層再生ステップと、を含み、
前記編集データが記録された編集データ記録層における位置と、異なる前記編集データが記録された編集データ記録層における位置とが層を違えて同じ位置である場合に、前記編集データ又は異なる前記編集データを再生する際に、前記編集データと異なる前記編集データとが同期するように、再生する記録層を切り替えることを特徴とする光ディスク再生方法。
【請求項３】
３層以上の記録層を有し、前記記録層の１層にデータを記録し、前記記録層の他の複数層に前記データを編集した編集データそれぞれを記録する光ディスクに、前記データと前記編集データとを記録する光ディスク記録装置であって、
前記データを記録するデータ記録層と、前記編集データを、他の複数層のそれぞれに記録する編集データ記録層とに、前記記録層を割り振って記録する記録層割振記録手段を備え、
前記編集データを前記編集データ記録層に記録する際の位置と、異なる前記編集データを異なる前記編集データ記録層に記録する際の位置とが層を違えて同じ位置に、同期するように記録することを特徴とする光ディスク記録装置。
【請求項４】
３層以上の記録層を有し、前記記録層の１層にデータを記録し、前記記録層の他の複数層に前記データを編集した編集データそれぞれを記録する光ディスクから前記データ又は前記編集データを再生する光ディスク再生装置であって、
前記記録層のうち、再生する記録層を指定する再生層指定手段と、
この再生層指定ステップによって指定された記録層を再生する指定層再生手段と、を備え、
前記編集データが記録された編集データ記録層における位置と、異なる前記編集データが記録された編集データ記録層における位置とが層を違えて同じ位置である場合に、前記編集データ又は異なる前記編集データを再生する際に、前記編集データと異なる前記編集データとが同期するように、再生する記録層を切り替えることを特徴とする光ディスク再生装置。
【発明の詳細な説明】
【発明の属する技術分野】
本発明は、記録媒体の一つである光ディスクに係り、この光ディスクにデータを記録または記録されたデータを再生する光ディスク記録方法、光ディスク再生方法および光ディスク記録装置、光ディスク再生装置に関する。
【０００１】
【従来の技術】
従来、放送用にオンラインで使用される映像データは、予め、素材用のＶＴＲ（素材用記録媒体；複数の場合もある）に記録されている映像データ（原映像データ）を編集して、別のＶＴＲ（編集用記録媒体）に記録した編集映像データが利用されている。従って、この方式では、素材用記録媒体と編集用記録媒体とを別々に管理する必要がある。なお、最近では、ＶＴＲに代わって読み書き可能な大容量のＤＶＤ等の光ディスクが主流になりつつある。この光ディスクでは、データ（映像データ）を記録させる記録層が単層または複数層備えられており、これらの記録層の同じ層（同層）に原映像データと編集映像データとを記録させることは可能である。
【０００２】
【発明が解決しようとする課題】
しかしながら、従来の方式では、素材用記録媒体と編集用記録媒体とを別々に管理する際に、それぞれの記録媒体に個体番号等を割り当て、識別できるようにしていたので、管理に手間がかかるという問題がある。また、データ（映像データ）を記録させる記録層を有する光ディスク使用して、原映像データと編集映像データとを、別々の場所に区別して（識別して）記録させ、再生させる装置がないという問題がある。
【０００３】
本発明の目的は前記した従来の技術が有する課題を解消し、素材用記録媒体と編集用記録媒体との管理に手間をかけることなく、また、原映像データと編集映像データとを、別々の場所に区別して記録、再生することができる光ディスク記録方法、光ディスク再生方法および光ディスク記録装置、光ディスク再生装置を提供することにある。
【０００４】
【課題を解決するための手段】
前記した目的を達成するために、以下の方法、装置で構成した。
請求項１記載の光ディスク記録方法は、３層以上の記録層を有し、前記記録層の１層にデータを記録し、前記記録層の他の複数層に前記データを編集した編集データそれぞれを記録する光ディスクに、前記データと前記編集データとを記録する光ディスク記録方法であって、前記データを記録するデータ記録層と、前記編集データを、他の複数層のそれぞれに記録する編集データ記録層とに、前記記録層を割り振って記録する記録層割振記録ステップを含み、前記編集データを前記編集データ記録層に記録する際の位置と、異なる前記編集データを異なる前記編集データ記録層に記録する際の位置とが層を違えて同じ位置に、同期するように記録することを特徴とする。
【０００５】
この光ディスク記録方法では、記録層割振記録ステップにおいて、データを記録するデータ記録層と、編集データを、他の複数層のそれぞれに記録する編集データ記録層とに、記録層を割り振って記録される。そして、光ディスク記録方法は、編集データを編集データ記録層に記録する際の位置と、異なる編集データを異なる編集データ記録層に記録する際の位置とが層を違えて同じ位置に、同期するように記録する。
【０００６】
なお、この光ディスク記録方法で取り扱われるデータは、専ら映像データであって、データ記録領域に記録されるもともとの映像データ（原映像データ）は、書き換えられないように、上書き禁止処理がなされている。この上書き禁止処理は、光ディスクがブランクの状態（何も記録されていない状態）で最初に記録されたデータを保護するようにする処理であって、光ディスクにデータを記録する際に当該データと共に記録された記録時刻に基づいて施されるものである。
【０００７】
さらに、光ディスクの記録状態を判別する記録状態判別ステップと、光ディスクにデータが記録されていない場合には、この光ディスクの記録領域を分割する記録領域分割ステップが含まれていてもよい。
【０００８】
また、請求項２記載の光ディスク再生方法は、３層以上の記録層を有し、前記記録層の１層にデータを記録し、前記記録層の他の複数層に前記データを編集した編集データそれぞれを記録する光ディスクから前記データ又は前記編集データを再生する光ディスク再生方法であって、前記記録層のうち、再生する記録層を指定する再生層指定ステップと、この再生層指定ステップによって指定された記録層を再生する指定層再生ステップと、を含み、前記編集データが記録された編集データ記録層における位置と、異なる前記編集データが記録された編集データ記録層における位置とが層を違えて同じ位置である場合に、前記編集データ又は異なる前記編集データを再生する際に、前記編集データと異なる前記編集データとが同期するように、再生する記録層を切り替えることを特徴とする。
【０００９】
この光ディスク再生方法では、再生層指定ステップにおいて、記録層のうち、再生する記録層が指定される。そして、光ディスク再生方法では、指定層再生ステップにおいて、再生層指定ステップによって指定された記録層が再生される。そして、光ディスク再生方法は、編集データが記録された編集データ記録層における位置と、異なる編集データが記録された編集データ記録層における位置とが層を違えて同じ位置である場合に、編集データ又は異なる編集データを再生する際に、編集データと異なる編集データとが同期するように、再生する記録層を切り替える。
【００１０】
さらに、請求項３記載の光ディスク記録装置は、３層以上の記録層を有し、前記記録層の１層にデータを記録し、前記記録層の他の複数層に前記データを編集した編集データそれぞれを記録する光ディスクに、前記データと前記編集データとを記録する光ディスク記録装置であって、前記データを記録するデータ記録層と、前記編集データを、他の複数層のそれぞれに記録する編集データ記録層とに、前記記録層を割り振って記録する記録層割振記録手段を備え、前記編集データを前記編集データ記録層に記録する際の位置と、異なる前記編集データを異なる前記編集データ記録層に記録する際の位置とが層を違えて同じ位置に、同期するように記録することを特徴とする。
【００１１】
かかる構成によれば、この光ディスク記録装置では、記録層割振記録手段において、データを記録するデータ記録層と、編集データを、他の複数層のそれぞれに記録する編集データ記録層とに、記録層が割り振られて記録される。なお、光ディスクの記録状態を判別する記録状態判別手段と、光ディスクにデータが記録されていない場合には、この光ディスクの記録層のうち、データおよび編集データを記録させる記録層を指定する記録層指定手段が含まれていてもよい。そして、光ディスク記録装置は、編集データを編集データ記録層に記録する際の位置と、異なる編集データを異なる編集データ記録層に記録する際の位置とが層を違えて同じ位置に、同期するように記録する。
【００１２】
そしてまた、請求項４記載の光ディスク再生装置は、３層以上の記録層を有し、前記記録層の１層にデータを記録し、前記記録層の他の複数層に前記データを編集した編集データそれぞれを記録する光ディスクから前記データ又は前記編集データを再生する光ディスク再生装置であって、前記記録層のうち、再生する記録層を指定する再生層指定手段と、この再生層指定ステップによって指定された記録層を再生する指定層再生手段と、を備え、前記編集データが記録された編集データ記録層における位置と異なる前記編集データが記録された編集データ記録層における位置とが層を違えて同じ位置である場合に、前記編集データ又は異なる前記編集データを再生する際に、前記編集データと異なる前記編集データとが同期するように、再生する記録層を切り替えることを特徴とする。
【００１３】
かかる構成によれば、光ディスク再生装置では、再生層指定手段で指定された記録層が指定層再生手段で再生される。そして、光ディスク再生装置は、編集データが記録された編集データ記録層における位置と、異なる編集データが記録された編集データ記録層における位置とが層を違えて同じ位置である場合に、編集データ又は異なる編集データを再生する際に、編集データと異なる編集データとが同期するように、再生する記録層を切り替える。
【００２０】
【発明の実施の形態】
以下、本発明の一実施形態を図面に基づいて詳細に説明する。
（光ディスク記録再生システム（光ディスク記録再生装置）の構成）
図１に光ディスク記録再生システムの概念図を示す。この図１に示すように、光ディスク記録再生システム１は、光ディスク記録再生装置３と、カメラ５と、編集装置７と、再生モニタ９とを備えて構成されている。
【００２１】
この光ディスク記録再生システム１は、カメラ５で撮像した素材（原映像データ）を光ディスク記録再生装置３に装填されている光ディスクＯＤに記録させておき、この光ディスクＯＤに記録されている原画像データを編集装置７に読み出して編集し、編集した編集映像データまたは編集しないそのままの原映像データを再生モニタ９に表示させるものである。また、光ディスク記録再生装置３に装填される光ディスクＯＤは、レーザー光によってデータが記録される記録層を有するものであり、詳細については後記する。
【００２２】
光ディスク記録再生装置３（図１中、点線で囲った部分が装置３の構成）は、光ディスクＯＤに原映像データと編集映像データとを記録し、記録したこれらのデータを再生させるものであって、第１層・第２層切替部１１と、バッファメモリ１３とを備えて構成されている。
【００２３】
第１層・第２層切替部１１は、制御手段１１ａと、レーザー光発射手段１１ｂとを備えて構成されている。また、制御手段１１ａは、記録状態判別機能１１ａ１と、記録領域分割機能１１ａ２と、記録層指定機能１１ａ３と、記録層分割記録機能１１ａ４と、記録層割振記録機能１１ａ５と、再生領域指定機能１１ａ６と、再生層指定機能１１ａ７と、指定領域再生機能１１ａ８と、指定層再生機能１１ａ９とを含んで構成されている。
【００２４】
記録状態判別機能１１ａ１は、光ディスクＯＤの記録状態を判別するプログラムである。
記録領域分割機能１１ａ２は、記録状態判別機能１１ａ１によって、装填されている光ディスクＯＤにデータが記録されていないと判別された場合に、原映像データを記録させる原映像データ記録領域と、当該原映像データを編集した後の編集映像データを記録させる編集映像データ記録領域とに、光ディスクＯＤの１つの記録層の記録領域を分割するプログラムである。この記録領域分割機能１１ａ２は、装填されている光ディスクＯＤが、単層（１つの記録層）または複数層（複数の記録層）を有する場合であっても、その記録層を任意に分割し、原映像データ記録領域と編集映像データ記録領域とに分割するプログラムである。
【００２５】
記録層指定機能１１ａ３は、光ディスクＯＤが複数の記録層を有する場合であって、記録状態判別機能１１ａ１によって、装填されている光ディスクＯＤにデータが記録されていないと判別された場合に、原映像データを記録させる原映像データ記録層と、当該原映像データを編集した後の編集映像データを記録させる編集映像データ記録層とに、複数の記録層を割り振るプログラムである。なお、この実施の形態では、光ディスクＯＤが２層の記録層（レーザー光発射手段１１ｂにより近い層を第１記録層、次の層を第２記録層）を有しており、第２記録層が原映像データ記録層に、第１記録層が編集映像データ記録層に指定されている。
【００２６】
記録層分割記録機能１１ａ４は、記録領域分割機能１１ａ２によって分割された記録領域（原映像データ記録領域、編集映像データ記録領域）に原映像データまたは編集映像データを記録させるプログラムであって、後記するレーザー光収束機能１１ｂ２およびレーザー光発射部位移動機能１１ｂ３に制御信号を送信するものである。
【００２７】
記録層割振記録機能１１ａ５は、記録層指定機能１１ａ３によって割り振られた記録層（原映像データ記録層、編集映像データ記録層）に原映像データまたは編集映像データを記録させるプログラムであって、後記するレーザー光収束機能１１ｂ２およびレーザー光発射部位移動機能１１ｂ３に制御信号を送信するものである。
【００２８】
再生領域指定機能１１ａ６は、光ディスクＯＤに記録されているデータの記録領域（原映像データ記録領域、編集映像データ記録領域）を指定するものである。
再生層指定機能１１ａ７は、光ディスクＯＤに記録されているデータの記録層（原映像データ記録層、編集映像データ記録層）を指定するものである。
【００２９】
指定領域再生機能１１ａ８は、再生領域指定機能１１ａ６によって指定された記録領域に記録されているデータを再生させるものであって、後記するレーザー光収束機能１１ｂ２およびレーザー光発射部位移動機能１１ｂ３に制御信号を送信するものである。
指定層再生機能１１ａ９は、再生層指定機能１１ａ７によって指定された記録層に記録されているデータを再生させるものであって、後記するレーザー光収束機能１１ｂ２およびレーザー光発射部位移動機能１１ｂ３に制御信号を送信するものである。
【００３０】
なお、原映像データが記録される、原映像データ記録領域または原映像データ記録層には制御手段１１ａによって上書き禁止処理がなされてもよい。
さらに、レーザー光発射手段１１ｂは、レーザー光発射機能１１ｂ１と、レーザー光収束機能１１ｂ２と、レーザー光発射部位移動機能１１ｂ３と、光ディスク回転機能１１ｂ４とを含んで構成されている。
【００３１】
レーザー光発射機能１１ｂ１は、光ディスクＯＤに、半導体レーザー等によるレーザー光を発射（照射）するものである。
レーザー光収束機能１１ｂ２は、レーザー光発射機能１１ｂ１によって発射されたレーザー光を、照射する記録層に応じて収束させるものである。
【００３２】
レーザー光発射部位移動機能１１ｂ３は、レーザー光を照射する記録層に応じて、レーザー光発射部位（ヘッド）を上下方向に移動させると共に、当該記録層の記録再生場所に応じてレーザー光発射部位を水平方向に移動（シーク）させるものである。
【００３３】
つまり、レーザー光発射機能１１ｂ１より照射されるレーザー光は、レーザー光収束機能１１ｂ２およびレーザー光発射部位移動機能１１ｂ３によって調整される。そして、記録層分割記録機能１１ａ４および記録層割振記録機能１１ａ５から送信された制御信号に基づいて制御される。なお、制御信号によって指定された記録層は、レーザー光を照射（集光）させるために設定されるフォーカスエラー信号に、第１記録層と第２記録層との光学距離データ（Δｄ）を組み込ませることよって検出される。
光ディスク回転機能１１ｂ４は、原映像データまたは編集映像データを記録再生時に、光ディスクＯＤを回転させるものである。
【００３４】
バッファメモリ１３は、編集装置７によって、原映像データ記録層（第２記録層）に記録されている原映像データの一部（編集カット）を読み出して、一時的に記録させておくものである。そして、このバッファメモリ１３に読み出された原映像データの一部（編集カット）が編集された編集映像データとして編集映像データ記録層（第１記録層）に記録される。
【００３５】
カメラ５は、一般的なカメラ装置であって、被写体や風景等の映像データ（原映像データ）を撮像するものである。
編集装置７は、光ディスク記録再生装置３に装填されている光ディスクＯＤの原映像データを編集して編集映像データを生成するものである。
【００３６】
再生モニタ９は、ＣＲＴや液晶等によって構成される表示装置であって、光ディスク記録再生装置３に装填されている光ディスクＯＤに記録されている原映像データまたは編集映像データを再生表示させるものである。或いは編集装置７から直接、原映像データまたは編集映像データを再生表示させるものである。
【００３７】
（光ディスクの構成）
図２に光ディスクＯＤの概略を説明した図を示す。この図２に示すように、光ディスクＯＤは、ポリカーボネート基板をベースに２つの記録膜（記録層）が設けられたもので、より詳細には、光ディスクＯＤの断面の図中最下層に原映像データが記録される第２記録層があり、その上にポリカーボネート基板が介装されて、編集映像データが記録される第１記録層が積層され、さらに紫外線硬化樹脂が積層されている。第２記録層と第１記録層との厚さがΔｄであり、図中最上層（光ディスクＯＤの表層面）から第１記録層までの厚さがＤである。
【００３８】
なお、この実施の形態では、光ディスクＯＤのΔｄ（光学距離データ）は１５０μｍであり、Ｄは８５０μｍである。
また、第２記録層を追加型記録層と設定すれば、この第２記録層に記録された原映像データは一度書き込んだ後は、書き換えることができなくなり、原映像データを保護することができる。或いは、光ディスクＯＤの記録層が１層である場合には、第２記録層を追加型記録層と設定する代わりに、当該記録層の一部の領域を追加型記録領域とすることも可能である。この実施の形態では、第２記録層は、記録層の特性により物理的に書き換えることができないように構成されている。なお、この第２記録層を光ディスク記録再生装置３から書き換え禁止領域（書き換え禁止記録層）として認識させることにより書き換え不可能とすることもできる。この場合、光ディスク記録再生装置３によって、書き換え禁止領域（書き換え禁止記録層）の認識（設定）を変更させれば第２記録層を書き換え可能領域（書き換え可能記録層）にすることもできる。
【００３９】
（光ディスク記録再生システム（光ディスク記録再生装置）の動作）
次に、光ディスク記録再生システムの動作を図３に示すフローチャートを参照して説明する。
まず、カメラ５で素材（原映像データ）が撮像され（Ｓ１）、この素材（原映像データ）が光ディスク記録再生装置３に挿入されている光ディスクＯＤの第２記録層に記録される（Ｓ２）。
【００４０】
次に、編集装置７によって、この光ディスクＯＤの第２記録層に記録した原映像データを再生させ、再生モニタ９に表示させる（Ｓ３）。そして、光ディスク記録再生システム１のユーザは、再生モニタ９に表示されている原映像データを視聴しながら、編集カット（原映像データの一部）を決定し（Ｓ４）、この編集カットのみを再生モニタ９に再生させて（Ｓ５）、確認後、バッファメモリ１３に記録させる（Ｓ６）。そして、バッファメモリ１３に記録させた編集カットを光ディスクＯＤの第１記録層に記録させる（Ｓ７）。
【００４１】
そして、光ディスク記録再生システム１のユーザは、原映像データから必要な映像（編集カット）を要望に応じて複数回読み出して、第１記録層に記録させることを、編集映像データが完成するまで繰り返し（Ｓ８）、この編集映像データが完成したと判断した場合、第１記録層編集カット記録済みとして、編集作業を終了させる（Ｓ９）。
【００４２】
（補足；光ディスクＯＤにデータを記録再生する際のシークについて）
図４、図５を参照して、光ディスクＯＤに原映像データ（素材）または編集映像データを記録（再生）する場合のシーク（移動）について説明する。
図４に示したように、光ディスクＯＤの記録層が１層（単層）であり、素材領域（原映像データ記録領域）が編集領域（編集映像データ記録領域）よりも内側に設定されている場合のレーザー光発射手段１１ｂ（図１参照）のシークは、単純に水平移動となる。
【００４３】
それに対し、図５に示したように、光ディスクＯＤの記録層が２層（複数層）であり、素材第２層（第２記録層：原映像データ記録層）が編集映像第１層（第１記録層：編集映像データ記録層）よりも図中下方に位置している場合のレーザー光発射手段１１ｂ（図１参照）のシークは、レーザー光発射部位移動機能１１ｂ３により、記録層（第１記録層または第２記録層）に応じて上下移動される。
なお、光ディスク記録再生装置３に複数のヘッド（レーザー光発射手段１１ｂ）が、記録層に応じて備えられていれば、ヘッドのシークは記録層が単層である場合と同様に、単純な水平移動となる。
【００４４】
この実施の形態では以下の効果を奏す。
まず、光ディスク記録再生装置３に挿入された光ディスクＯＤは、記録状態判別機能１１ａ１によって、記録状態が判別される。そして、記録領域分割機能１１ａ２および記録層分割記録機能１１ａ４（記録層指定機能１１ａ３および記録層割振記録機能１１ａ５）によって、光ディスクＯＤが原映像データを記録する原映像データ記録領域（原映像データ記録層）と、原映像データを編集した後の編集データを記録する編集映像データ記録領域（編集映像データ記録層）とに、光ディスクＯＤの記録層が分割されて（割り振られて）記録される。
【００４５】
また、再生領域指定機能１１ａ６（再生層指定機能１１ａ７）で指定された分割領域（記録層）が、指定領域再生機能１１ａ８（指定層再生機能１１ａ９）で再生される。
このため、１つの光ディスクＯＤ（記録媒体）に素材用の原映像データと、編集後の編集映像データとが記録できる。すなわち、従来のように、素材用記録媒体と編集用記録媒体との管理に手間をかけることなく、原映像データと編集映像データとを、別々の場所（１つの光ディスクＯＤ内において）に区別して記録、再生することができる。
【００４６】
また、光ディスクＯＤの複数の異なる記録層に素材である原映像データと、編集後の編集映像である編集映像データとを記録させて管理することができる。さらに、光ディスクＯＤに記録される総データ量は、従来の一層の光ディスクの記録量に比べ倍以上になる。しかも、原映像データと編集映像データとが第２記録層と第１記録層に記録されているため、ヘッド（レーザー光発射手段１１ｂ）の大きなシーク（移動）なしに、効率的に編集作業が行える（編集効率が高くなる）。
【００４７】
さらにまた、光ディスクＯＤが複数層（多層）を備える場合、各記録層のほぼ同じ位置に異なる編集映像（編集映像データ）を同期するように記録させておき、これらの異なる編集映像（編集映像データ）を再生する際に、高速に切り替えて再生モニタ９に表示することも可能である。
【００４８】
以上、一実施形態に基づいて本発明を説明したが、本発明はこれに限定されるものではない。
光ディスク記録再生装置３に備えられている各構成の処理を１つの過程（ステップ）とみなして、光ディスク記録方法、光ディスク再生方法と捉えることも可能である。この場合、それぞれの方法は光ディスク記録再生装置３で得られる効果と同様の効果が得られる。
【００４９】
【発明の効果】
請求項１、３記載の発明によれば、編集データを記録する編集データ記録層と、異なる編集データを記録する異なる編集データ記録層とに、複数の記録層が割り振られて記録される。このため、編集データと異なる編集データとを、別々の記録層（１つの光ディスク内において）に区別して記録することができる。また、編集データと異なる編集データとが、編集データ記録層と異なる編集データ記録層とにおいて、層を違えて同じ位置に、同期するように記録されているので、再生する際に高速に切り替えて表示することができる。
【００５０】
請求項２、４記載の発明によれば、再生層指定ステップで指定された記録層が指定層再生ステップで再生される。このため、編集データと異なる編集データとを、別々の記録層（１つの光ディスク内において）に区別して再生することができる。また、編集データと異なる編集データとが、編集データ記録層と異なる編集データ記録層とにおいて、層を違えて同じ位置に、同期するように記録されている場合、再生する際に高速に切り替えて表示することができる。
【図面の簡単な説明】
【図１】本発明による一実施の形態である光ディスク記録再生システム（光ディスク記録再生装置）の概略の説明図である。
【図２】光ディスクを説明した図である。
【図３】光ディスク記録再生システム（光ディスク記録再生装置）の動作を説明したフローチャートである。
【図４】光ディスク（記録層が１つ）のシークに付いて補足説明した図である。
【図５】光ディスク（記録層が複数）のシークに付いて補足説明した図である。
【符号の説明】
１  光ディスク記録再生システム
３  光ディスク記録再生装置
５  カメラ
７  編集装置
９  再生モニタ
１１  第１層・第２層切替部
１１ａ  制御部
１１ａ１  記録状態判別機能
１１ａ２  記録領域分割機能
１１ａ３  記録層指定機能
１１ａ４  記録層分割記録機能
１１ａ５  記録層割振記録機能
１１ａ６  再生領域指定機能
１１ａ７  再生層指定機能
１１ａ８  指定領域再生機能
１１ａ９  指定層再生機能
１１ｂ  レーザー光発射手段
１３  バッファメモリ
ＯＤ  光ディスク
【図１】
0003934914.tif 000002
【図２】
0003934914.tif 000003
【図３】
0003934914.tif 000004
【図４】
0003934914.tif 000005
【図５】
0003934914.tif 000006